(57)【要約】【課題】高い耐久性を有すると共に、高い洗浄性を有し、凍結することが無く、且つ被洗浄面に傷を付けることが無い洗車機用洗浄ブラシのブラシ片、及びそれを用いた洗車機用洗浄ブラシ、及びその洗車機用洗浄ブラシを搭載した洗車機を提供する。【解決手段】ブラシ片はアイオノマー樹脂を有するものである。【選択図】図１
2007185468.tif 000002
【特許請求の範囲】
【請求項１】
自動車あるいは車両の外面の被洗浄面に付着した汚れ等を洗浄する為の洗車機に使用する洗車機用洗浄ブラシのブラシ片において、前記ブラシ片はアイオノマー樹脂を有することを特徴とする洗車機用洗浄ブラシのブラシ片。
【請求項２】
請求項１記載の構成よりなる洗車機用洗浄ブラシのブラシ片において、前記ブラシ片は、前記アイオノマー樹脂がコーティング、バインダー固着、あるいは練り込みされてあることを特徴とする洗車機用洗浄ブラシのブラシ片。
【請求項３】
請求項１記載の構成よりなる洗車機用洗浄ブラシのブラシ片において、前記ブラシ片は前記アイオノマー樹脂により形成されたアイオノマー樹脂繊維を有する布帛にて形成されてあることを特徴とする洗車機用洗浄ブラシのブラシ片。
【請求項４】
請求項１あるいは３記載の構成よりなる洗車機用洗浄ブラシのブラシ片において、前記ブラシ片にたいして、前記アイオノマー樹脂がコーティング、バインダー固着、あるいは練り込みされてあることを特徴とする洗車機用洗浄ブラシのブラシ片。
【請求項５】
請求項１から４記載の構成よりなる洗車機用洗浄ブラシのブラシ片において、前記ブラシ片にたいしてカレンダー成形が施されてあることを特徴とする洗車機用洗浄ブラシのブラシ片。
【請求項６】
請求項１から５のいずれか１項に記載の洗車機用洗浄ブラシのブラシ片を配した洗車機用洗浄ブラシ。
【請求項７】
駆動源と、被洗浄面に散布する洗浄剤及び水を噴出させるノズルと、洗浄後の被洗浄面を乾燥させる乾燥手段を備えると共に、請求項６記載の洗車機用洗浄ブラシを搭載した洗車機。
【発明の詳細な説明】
【技術分野】
【０００１】  本発明は、自動車あるいは車両の外面の被洗浄面に付着した汚れ等を洗浄する為の洗車機に使用する洗浄ブラシのブラシ片、及びそれを用いた洗車機用洗浄ブラシ、及びその洗車機用洗浄ブラシを搭載した洗車機に関するものである。
【背景技術】
【０００２】  自動車あるいは車両の外面の被洗浄面に付着した汚れ等を洗浄する為の洗車機に使用する洗浄ブラシのブラシ片に関しては、使用目的に応じて、さまざまな改良がなされ、材質については、合成樹脂繊維、フィルム状樹脂組成物、布帛、独立気泡発泡体等を使用したブラシ片が提案されてある。ところで、合成樹脂繊維は、洗浄性が良好で、水を含まない為、凍結しにくいが、被洗浄面に傷を付けやすく、弾性変形しない為、耐久性が低いという特徴を有している。また、フィルム状組成物は、洗浄時の音が小さく、洗浄性は良好であるが、毛腰が弱く、耐久性が低いという特徴を有している。また、布帛は、洗車時に水を含みやすいことから、洗浄性が良好であり、被洗浄面である車体に傷を付けることは無いものの、弾性変形しない為、破れ、ほつれ、切れ等が発生し、耐久性が劣るという特徴を有している。また、独立気泡発泡体は、弾性変形することから、耐久性が良好で、被洗浄面に傷を付けにくいが、水を含みにくい為、洗浄性が劣るという特徴を有している。【０００３】  また、例えば、見掛け密度が０．２〜１ｇ／ｃｍ３で、熱圧着面積が４〜４５％で部分熱圧着され、かつ撥水度が５０以上である合成長繊維不織布からなることを特徴とする洗車用ブラシが、特許第３１９１５３４号に開示されてある。前記洗車ブラシは、合成長繊維不織布が部分熱圧着されていることから、前記合成長繊維不織布の空隙が減少すると共に、撥水度が５０以上であることから、水を弾き、水を含みにくくなる為、凍結しにくいという特徴を有している。【０００４】
【特許文献１】  特許第３１９１５３４号
【発明の開示】
【発明が解決しようとする課題】
【０００５】  従来の洗車機用洗浄ブラシのブラシ片は、上記の如くの特徴を有する技術が開示されてあるが、例えば、布帛に耐久性を付与する目的で、弾力性に優れたウレタン樹脂を、布帛にたいしてコーティングする方法が、一般的に採られている。しかし、前記の如くの方法においては、界面活性剤等の乳化剤が使用されているエマルジョン系ウレタン樹脂が用いられている。その為、布帛が洗車中に水と接触すると、前記乳化剤の有する親水基が水を取り込み、布帛の保水性が向上し、含水率が増加することから、布帛は水を一層含みやすくなり、凍結しやすくなるという課題を有していた。また、布帛の含水率が増加すると、ブラシ片としての毛腰が弱くなり、被洗浄面を均一に洗浄できず、洗い残しが発生するという課題も有していた。また、エマルジョン系ウレタン樹脂の替わりに、有機溶剤にウレタン樹脂を溶解させた溶剤系ウレタン樹脂を使用する方法もあるが、溶剤系ウレタン樹脂を布帛にコーティングする場合、生産工程において揮発溶剤による火災、爆発、中毒等の危険性がある為、揮発溶剤の回収装置が必要となる。その為、生産コストが高くなり、洗車機用洗浄ブラシのブラシ片等の工業用途には不向きであった。【０００６】  また、特許第３１９１５３４号に開示されてある技術においては、合成長繊維不織布が部分熱圧着されている為、前記合成長繊維不織布が硬くなり、ブラシ片として使用した場合、自動車あるいは車両の外面の被洗浄面に傷を付けやすくなるという課題を有していた。【０００７】  本発明は、上記のような課題を解決する為になされたもので、高い耐久性を有すると共に、高い洗浄性を有し、凍結することが無く、且つ被洗浄面に傷を付けることが無い洗車機用洗浄ブラシのブラシ片、及びそれを用いた洗車機用洗浄ブラシ、及びその洗車機用洗浄ブラシを搭載した洗車機を提供することを目的としている。
【課題を解決するための手段】
【０００８】  そして、本発明は、上記目的を達成する為に、第１の課題解決手段は、前記ブラシ片はアイオノマー樹脂を有する構成としたものである。【０００９】  また、第２の課題解決手段は、前記ブラシ片は、前記アイオノマー樹脂がコーティング、バインダー固着、あるいは練り込みされてあるものである。【００１０】  また、第３の課題解決手段は、前記ブラシ片は前記アイオノマー樹脂により形成されたアイオノマー樹脂繊維を有する布帛にて形成されてある構成としたものである。【００１１】  また、第４の課題解決手段は、前記ブラシ片にたいして、前記アイオノマー樹脂がコーティング、バインダー固着、あるいは練り込みされてある構成としたものである。【００１２】  また、第５の課題解決手段は、前記ブラシ片にたいしてカレンダー成形が施されてある構成としたものである。【００１３】  また、第６の課題解決手段は、上記第１の課題解決手段から第５の課題解決手段のいずれか１項に記載の洗車機用洗浄ブラシのブラシ片を配した洗車機用洗浄ブラシとしたものである。【００１４】  また、第７の課題解決手段は、上記第６の課題解決手段に記載の洗車機用洗浄ブラシを搭載した洗車機としたものである。【００１５】  上記第１の課題解決手段による作用は、次の通りである。すなわち、前記ブラシ片はアイオノマー樹脂を有する為、アイオノマー樹脂は分子間にイオン橋架け結合が形成されてあるので、弾力性を有するブラシ片が得られる。【００１６】  また、第２の課題解決手段による作用は、前記ブラシ片は、前記アイオノマー樹脂がコーティング、バインダー固着、あるいは練り込みされてある為、アイオノマー樹脂は界面活性剤等の乳化剤が使用されていないので、ブラシ片の含水率が抑えられる。【００１７】  また、第３の課題解決手段による作用は、前記ブラシ片は前記アイオノマー樹脂により形成されたアイオノマー樹脂繊維を有する布帛にて形成されてある為、布帛の持つ被洗浄面に傷を付けることなく洗いあげる高い洗浄性、及びアイオノマー樹脂は分子間にイオン橋架け結合を有するのでアイオノマー樹脂繊維の優れた弾力性、耐摩耗性を併せ持つブラシ片が得られる。【００１８】  また、第４の課題解決手段による作用は、前記ブラシ片にたして、前記アイオノマー樹脂がコーティング、バインダー固着、あるいは練り込みされてある為、アイオノマー樹脂は分子間にイオン橋架け結合が形成されてあり、分子間の結合力が強いので、耐ストレスクラッキング性に優れたブラシ片が得られる。【００１９】  また、第５の課題解決手段による作用は、前記ブラシ片にたいしてカレンダー成形が施されてある為、ブラシ片の厚みが薄くなり、空隙が減少すると共に、熱エンボスロール等により圧延され、部分熱圧着されていないので、ブラシ片が硬くなることが無い。【００２０】  また、第６の課題解決手段による作用は、上記第１の課題解決手段から第５の課題解決手段のいずれか１項に記載の洗車機用洗浄ブラシのブラシ片を配した洗車機用洗浄ブラシである為、含水により、ブラシ片の毛腰が弱くなることが無く、且つブラシ片同士が水により付着しながら洗車中に回転することが無く、ブラシ片は被洗浄面にたいして均一に当接する。【００２１】  また��第７の課題解決手段による作用は、上記第６の課題解決手段に記載の洗車機用洗浄ブラシを搭載した洗車機である為、含水により、洗車機用洗浄ブラシの重量が重くなることが無く、前記洗車機用洗浄ブラシの安定した回転駆動が長期間に渡って持続する。
【発明の効果】
【００２２】  本発明の洗車機用洗浄ブラシのブラシ片は、弾力性、耐摩耗性に優れたアイオノマー樹脂を使用して形成されてある為、高い耐久性、及び洗浄性を有する非常に優れたものである。
【発明を実施するための最良の形態】
【００２３】  第１の発明は、前記ブラシ片はアイオノマー樹脂を有する為、アイオノマー樹脂は分子間にイオン橋架け結合が形成されてあるので、弾力性を有するブラシ片が得られる。その為、ブラシ片は被洗浄面に接触する際、弾性変形することができるので、座屈等によるブラシ片の折れ、切れ、破れを防ぐことが可能となり、ブラシ片の寿命の長期化を図ることができ、ブラシ片の耐久性が向上する。【００２４】  第２の発明は、前記ブラシ片は、前記アイオノマー樹脂がコーティング、バインダー固着、あるいは練り込みされてある為、アイオノマー樹脂は界面活性剤等の乳化剤が使用されていないので、ブラシ片の含水率が抑えられる。その為、ブラシ片の凍結防止性能が大幅に向上する。また、前記アイオノマー樹脂がコーティングされてある場合においては、ブラシ片に均一に付着させることができ、バインダー固着されてある場合においては、バインダーを介して強固に付着させることができ、練り込みされてある場合においては、バインダー等を使用することなく強固に付着させることができる。【００２５】  第３の発明は、前記ブラシ片は前記アイオノマー樹脂により形成されたアイオノマー樹脂繊維を有する布帛にて形成されてある為、布帛の持つ被洗浄面に傷を付けることなく洗いあげる高い洗浄性、及びアイオノマー樹脂は分子間にイオン橋架け結合を有するのでアイオノマー樹脂繊維の優れた弾力性、耐摩耗性を併せ持つブラシ片が得られる。その為、ブラシ片による汚れの除去性能を、長期間に渡って持続させることが可能となる。【００２６】  第４の発明は、前記ブラシ片にたいして、前記アイオノマー樹脂がコーティング、バインダー固着、あるいは練り込みされてある為、アイオノマー樹脂は分子間にイオン橋架け結合が形成されてあり、分子間の結合力が強いので、耐ストレスクラッキング性に優れたブラシ片が得られる。その為、ブラシ片の亀裂を防ぐことができる。【００２７】  第５の発明は、前記ブラシ片にたいしてカレンダー成形が施されてある為、ブラシ片の厚みが薄くなり、空隙が減少すると共に、熱エンボスロール等により圧延され、部分熱圧着されていないので、ブラシ片が硬くなることが無い。その為、ブラシ片の凍結防止性能が飛躍的に向上すると共に、被洗浄面に傷を付けることが無い。【００２８】  第６の発明は、上記第１の発明から第５の発明のいずれか１項に記載の洗車機用洗浄ブラシのブラシ片を配した洗車機用洗浄ブラシである為、含水により、ブラシ片の毛腰が弱くなることが無く、且つブラシ片同士が水により付着しながら洗車中に回転することが無く、ブラシ片は被洗浄面にたいして均一に当接する。その為、ブラシ片の毛腰を強く設定することができると共に、均一に当接できるので、洗い残しの無い、高い洗浄性を有する洗車機用洗浄ブラシを提供することができる。また、前記洗車機用洗浄ブラシのブラシ片の使用枚数、及び台座上の溝部の間隔等を調整することにより、ブラシ片を被洗浄面に連続的に当てることができるので、洗車時における被洗浄面にたいするブラシ片の接触音を低減させることがきる。【００２９】  第７の発明は、上記第６の発明に記載の洗車機用洗浄ブラシを搭載した洗車機である為、含水により、洗車機���洗浄ブラシの重量が重くなることが無く、前記洗車機用洗浄ブラシの安定した回転駆動が長期間に渡って持続する。その為、駆動源にたいする負荷が軽減されると共に、洗車機用洗浄ブラシにたいするメンテナンスの軽減を図ることができる。また、洗車機用洗浄ブラシは、互いのブラシ片が水により付着することなく、被洗浄面にたいして均一に当接する為、高い洗浄性を有する洗車機を提供することができる。【００３０】  以下、本発明の実施の形態について図面を参照しながら説明する。なお、この実施の形態により本発明が限定されるものではない。
【実施例１】
【００３１】  以下に、本発明の第１の実施の形態における洗車機用洗浄ブラシのブラシ片について、図１から図２に基づいて説明する。【００３２】  図１（ａ）は、本発明の洗車機用洗浄ブラシのブラシ片の正面図である。図１（ａ）において、１はブラシ片、２はアイオノマー樹脂繊維、３は先割れ部である。図１（ｂ）は、本発明の他の実施の形態における洗車機用洗浄ブラシのブラシ片の正面図である。図１（ｂ）において、１１はブラシ片、１２はアイオノマー樹脂フィルム状組成物、１３は先割れ部である。図１（ｃ）は、本発明の他の実施の形態における洗車機用洗浄ブラシのブラシ片を前面側から見た斜視図である。図１（ｃ）において、２１はブラシ片、２２はアイオノマー樹脂独立気泡発泡体、２３はスリット、２４は独立気泡である。図２は、本発明の他の実施の形態における洗車機用洗浄ブラシのブラシ片を前面側から見た斜視図である。図２において、３１はブラシ片、３２は布帛、３３はアイオノマー樹脂繊維である。【００３３】  図１（ａ）の如く、ブラシ片１は、先端に先割れ加工が施された先割れ部３を有するアイオノマー樹脂繊維２からなる。ブラシ片１は、アイオノマー樹脂を押出し成形機にてモノフィラメント状に成形後、延伸、及び熱処理し、先割れ加工等を経て形成される。なお、ブラシ片１は、アイオノマー樹脂だけを使用して形成しても良いし、他のポリエチレン樹脂、ポリプロピレン樹脂、ポリアミド樹脂等の樹脂、あるいはニトリルゴム、スチレンゴム、ウレタンゴム等のエラストマーを、アイオノマー樹脂と併用して配合することにより、形成しても差し支えない。また、ブラシ片１の横断面形状は、一般的な円形の他、三角形、四角形、六角形等の多角形状、あるいはＭ形、Ｈ形、ノコギリ形、十字形、波状形、三日月形等でも構わない。【００３４】  また、図１（ｂ）の如く、ブラシ片１１は、先端に先割れ加工が施された先割れ部１３を有するアイオノマー樹脂フィルム状組成物１２からなる。ブラシ片１１は、円筒形、あるいはＴ字形のダイと呼ばれる口金からアイオノマー樹脂を押し出してフィルム状組成物に成形し、延伸、及び熱処理を施し、先割れ加工等を経て形成される。前記の如くの製造方法は、一般的には、インフレーション法、あるいはＴダイ法と呼ばれている。なお、ブラシ片１１は、アイオノマー樹脂だけを使用して形成しても良いが、他のポリエチレン樹脂、ポリプロピレン樹脂、ポリスチレン樹脂等の樹脂、あるいはニトリルゴム、スチレンゴム、アクリルゴム等のエラストマーを使用目的に応じて、適時、アイオノマー樹脂と併用して配合することにより、形成しても良い。【００３５】  また、図１（ｃ）の如く、ブラシ片２１は、スリット２３、及び独立気泡２４を有する平板形状のアイオノマー樹脂独立気泡発泡体２２からなる。ブラシ片２１は、アイオノマー樹脂、及び発泡剤を混合し、所定の発泡倍率からなり、独立気泡２４を有する立方体形状のアイオノマー樹脂独立気泡発泡体２２を得る。次いで、前記立方体形状のアイオノマー樹脂独立気泡発泡体２２を、所定の厚みにスライス加工して、平板形状とし、トムソン型等を用いて抜き加工し、スリット２３を有するブラシ片２１として形成される。なお、ブラシ片２１��、アイオノマー樹脂だけを使用して形成しても良いが、他のポリエチレン樹脂、ポリプロピレン樹脂、ポリスチレン樹脂等のポリオレフィン系樹脂、あるいはウレタンゴム等のエラストマーを使用目的に応じて、適時、アイオノマー樹脂と併用して配合することにより、形成することもできる。【００３６】  また、図２の如く、ブラシ片３１は、アイオノマー樹脂繊維３３を有する平板形状の布帛３２にて形成されてある。ブラシ片３１は、アイオノマー樹脂を溶融紡糸してアイオノマー樹脂繊維３３を得て、次いで、アイオノマー樹脂繊維３３を平織、綾織等により織布として形成しても良いし、アイオノマー樹脂繊維３３を水流絡合、熱圧着、ケミカルバインダー接着等により不織布として形成しても良いし、あるいはアイオノマー樹脂繊維３３を編んで編布として形成する等、布帛３２からなるブラシ片３１とする。なお、布帛３２はアイオノマー樹脂繊維３３だけを使用して形成しても良いが、他のポリエステル、ナイロン、ポリエチレン、ポリプロピレン、アクリル等の合成樹脂繊維、綿、麻、レーヨン、セルロース等の天然繊維を、アイオノマー樹脂繊維３３と併用して配合することにより、形成しても何ら差し支えない。【００３７】  次に、アイオノマー樹脂について説明する。アイオノマー樹脂は、ポリエチレン、ポリスチレン、ポリウレタン、フッ素樹脂等の疎水性の高分子の主鎖に、金属酸化物、水酸化物、炭酸塩、酢酸塩等をイオン源とするイオン基が付加され、分子間にイオン橋架け結合を有する高分子であり、ポリエチレンアイオノマー、ポリウレタンアイオノマー、ポリイソプレンアイオノマー、アクリルアイオノマー、フッ素アイオノマー等の種類があり、合成樹脂の内、熱可塑性樹脂に分類される。即ち、イオン基が分子間に付加されていない高分子においては、分子構造が結晶部、及び非晶部の二相構造であるのに対し、アイオノマー樹脂においては、分子構造が結晶部、非晶部、及びイオン凝集部の三相構造となる。そして、前記イオン凝集部が、分子間に橋架けする架橋点となり、イオン橋架け構造が形成される。その為、アイオノマー樹脂は分子間の結合力が強く、剛性、硬度、抗張力、反撥係数等が高くなる。従って、前記アイオノマー樹脂を使用して形成されてあるブラシ片１、１１、２１、３１は、弾力性、耐摩耗性、耐ストレスクラッキング性、耐寒性等に優れることになる。なお、前記アイオノマー樹脂の形態としては、ペレット、粉末等の個体、あるいは水、ｎ−メチルピロリドン等の水系溶剤に溶解、分散させた液体がある。【００３８】  本発明の洗車機用洗浄ブラシのブラシ片１、及び本発明の他の実施の形態における洗車機用洗浄ブラシのブラシ片１１、２１の動作、作用は以下の通りである。【００３９】  前記ブラシ片１、１１、２１はアイオノマー樹脂を有する為、アイオノマー樹脂は分子間にイオン橋架け結合が形成されてあるので、弾力性を有するブラシ片１、１１、２１が得られる。その為、ブラシ片１、１１、２１は被洗浄面に接触する際、弾性変形することができるので、座屈等によるブラシ片１、１１、２１の折れ、切れ、破れを防ぐことが可能となり、ブラシ片１、１１、２１の寿命の長期化を図ることができ、ブラシ片１、１１、２１の耐久性が向上する。【００４０】  また、本発明の他の実施の形態における洗車機用洗浄ブラシのブラシ片３１の動作、作用は以下の通りである。【００４１】  前記ブラシ片３１は前記アイオノマー樹脂により形成されたアイオノマー樹脂繊維３３を有する布帛３２にて形成されてある為、布帛３２の持つ被洗浄面に傷を付けることなく洗いあげる高い洗浄性、及びアイオノマー樹脂は分子間にイオン橋架け結合を有するのでアイオノマー樹脂繊維３３の優れた弾力性、耐摩耗性を併せ持つブラシ片３１が得られる。その為、ブラシ片３１による汚れの除去性能を、長期間に渡って持続させることが可能となる。
【実施例２】
【００４２】  図３、及び図４にて実施例２を示す。図３（ａ）は、本発明の洗車機用洗浄ブラシのブラシ片を前面側から見た斜視図である。図３（ａ）において、４１はブラシ片、４２は布帛、４３は繊維質基材、４４はアイオノマー樹脂である。図３（ｂ）は、図３（ａ）の繊維質基材の部分拡大断面図である。図４（ａ）は、本発明の洗車機用洗浄ブラシのブラシ片の断面図である。図４（ａ）において、４５は空隙、Ｘ１は厚みである。図４（ｂ）は、図４（ａ）のブラシ片にカレンダー成形を施した後のブラシ片の断面図である。図４（ｂ）において、６１はブラシ片、６２は布帛、６３は繊維質基材、６４はアイオノマー樹脂、６５は空隙、Ｘ２は厚みである。【００４３】  図３（ａ）、図３（ｂ）、及び図４（ａ）の如く、ブラシ片４１は、布帛４２にて形成されてあり、布帛４２を構成する繊維質基材４３の表面にたいして、アイオノマー樹脂４４が浸漬、含浸、スプレー処理等の方法を用いてコーティングされ、付着している。布帛４２は、織布、不織布、編布等が採用される。また、繊維質基材４３は、ナイロン、ポリエステル、ポリエチレン、ポリプロピレン、アクリル等の合成樹脂繊維、あるいは綿、麻、レーヨン、セルロース等の天然繊維の内、少なくとも１種類以上の材質が使用されてある。アイオノマー樹脂４４は、分子の主鎖である側鎖、あるいは末端に水酸化物等をイオン源とするイオン基が付加され、水、ｎ−メチルピロリドン等の水系溶剤に溶解、あるいは極微細な粒子状に分散されてある。前記の如く、アイオノマー樹脂４４は、水酸化物等の有するイオン基である水酸基が、分子の主鎖に付加されている為、界面活性剤等の乳化剤を使用することなく、水等の水系溶剤に溶解、あるいは分散させることができる。アイオノマー樹脂４４としては、ポリエチレンアイオノマー、ポリウレタンアイオノマー、ポリイソプレンアイオノマー、アクリルアイオノマー、フッ素アイオノマー等の内、少なくとも１種類以上の前記材質が使用されてある。また、繊維質基材４３の表面にアイオノマー樹脂４４を付着させる方法は、前記コーティングの他、バインダー固着、練り込み等の方法を用いることもできる。【００４４】  また、ブラシ片４１は、カレンダー成形を施し、使用しても良い。ブラシ片４１は、カレンダー成形により、ブラシ片６１に形成される。カレンダー成形とは、一般的に、カレンダーロールと呼ばれている複数のロールの間に、布帛４２を通して圧延することである。その際、カレンダーロールには線圧１００ｋｇ／ｃｍ程度の圧力をかける。線圧とは、カレンダーロールの長手方向１ｃｍあたりの押圧のことをいう。図４（ａ）、及び図４（ｂ）の如く、カレンダー成形が施された布帛６２の厚みＸ２は、押圧されてカレンダー成形を施す前の布帛４２の厚みＸ１に比べて薄く形成される。その為、布帛６２の空隙６５は、布帛４２の空隙４５よりも体積が減少する。また、前記の如くのカレンダー成形に限らず、例えば、布帛４２にたいして、特殊な針を突き刺すことにより布帛４２の厚みＸ１を薄くするニードルパンチング等の方法も採用することができる。【００４５】  また、使用目的に応じて、布帛４２、あるいは布帛６２にたいして、フッ素樹脂、シリコー���樹脂等による撥水加工を施して、ブラシ片４１、６１を形成しても良い。【００４６】  次に、本発明の洗車機用洗浄ブラシのブラシ片４１、６１の含水性について試験した。表１に、試験に用いた試験片の組成を示す。アイオノマー樹脂４４、６４にはウレタンアイオノマーを用いた。下記に示した要領で測定し、その結果を表２に示す。なお、本発明の洗車機用洗浄ブラシのブラシ片４１と同じ材質の繊維質基材４３からなり、界面活性剤等の乳化剤が使用されてあるエマルジョン系ウレタン樹脂を、コーティング処理したブラシ片を比較例１、及び比較例１にカレンダー成形を施したブラシ片を比較例２として用いた。【００４７】  また、試験片の空隙率は、下記計算式により算出した。なお、試験片見掛け密度は、試験片の１ｍ２当たりの重量を、試験片厚みで除した値である。
空隙率（％）＝１００×（１−試験片見掛け密度）【００４８】  断面が長方形である幅５０ｍｍ×長さ２２６ｍｍの帯状試験片を４本切り出し、各試験片の重量を測定して、これら試験片の平均重量をＷ１とした。【００４９】  そして、直径が１１４ｍｍで、且つ長さ３６０ｍｍの円柱状回転体の外周面における長さ方向の中央部に、各試験片をその長さ方向の中央部から二つ折りした上で、幅方向が回転体長さ方向に合致し、且つ試験片の屈曲部外面が回転体の外周面に当接した状態にして、回転体の周方向に等間隔毎に取り付けた。【００５０】  次に、上記回転体に６Ｌ毎分の散布量で水を吹きかけながら、２４０ｒｐｍの一定の回転速度で回転させる一方、鉄板を用意し、前記回転速度で回転している回転体の外周面に取り付けた各試験片の先端が描く仮想円上から３０ｍｍだけ回転体の回転軸の方向に近接した位置に、前記鉄板を対向させた状態に配設して、３時間に渡って鉄板の表面に各試験片を順次、摺接させた。【００５１】  そして、鉄板の表面に上記の如くのようにして擦り付けた後の各試験片の重量を測定して、これら試験片の平均重量をＷ２とし、下記式によって試験後の各試験片の含水率を算出し、下記基準により含水性を判断した。
含水率（％）＝１００×（Ｗ２−Ｗ１）／Ｗ１【００５２】  ○・・・含水率が１００〜２００％であった。
△・・・含水率が２００〜３００％であった。
×・・・含水率が３００％を超えていた。【００５３】
【表１】
2007185468.tif 000003
【００５４】
【表２】
2007185468.tif 000004
【００５５】  上記の如くの試験の結果、実施例１、及び実施例２はともに含水率が１００〜２００％であった。【００５６】  上記構成による本実施の形態における洗車機用洗浄ブラシのブラシ片４１、６１の動作、作用は以下の通りである。【００５７】  前記ブラシ片４１は、前記アイオノマー樹脂４４がコーティング、バインダー固着、あるいは練り込みされてある為、アイオノマー樹脂４４は分子間にイオン橋架け結合が形成されてあり、分子間の結合力が強いので、耐ストレスクラッキング性に優れたブラシ片４１が得られる。その為、ブラシ片４１の亀裂を防ぐことができる。また、アイオノマー樹脂４４は界面活性剤等の乳化剤が使用されていないので、ブラシ片４１の含水率が抑えられる。その為、ブラシ片４１の凍結防止性能が大幅に向上する。【００５８】  前記ブラシ片６１は、ブラシ片４１にたいしてカレンダー成形が施されてある為、ブラシ片６１は厚みが薄くなり、空隙６５の体積が減少する。また、ブラシ片６１は熱エンボスロール等により圧延され、部分熱圧着されていないので、ブラシ片６１を構成する布帛６２が硬くなることが無い。その為、ブラシ片６１は凍結防止性能が飛躍的に向上すると共に、被洗浄面に傷を付けることが無い。
【実施例３】
【００５９】  図５にて、実施例３を示す。図５は、本発明の洗車機用洗浄ブラシのブラシ片が使用されてある洗車機用洗浄ブラシを前面側から見た斜視図である。図５において、７０は洗車機用洗浄ブラシ、７１はブラシ片、７２は台座、７３はチャンネルブラシ、７４は止め金具である。【００６０】  洗車機用洗浄ブラシ７０は、図５の如く、ブラシ片７１、台座７２、チャンネルブラシ７３、及び止め金具７４より構成されてある。台座７２は、略円筒形状からなり、外周の両端部には止め金具７４が組み付けられて形成されてある。チャンネルブラシ７３は、ブラシ片７１を芯線、及び概Ｕ字断面を有する帯状体にて挟み付けて折り込んだ後、台座７２の外周の周りに捩りを加えて螺旋状に形成されてあり、止め金具７４にて固定されてある。【００６１】  上記の如くの構成となっている実施例３の洗車機用洗浄ブラシ７０の動作、作用は以下の通りである。【００６２】  本発明の洗車機用洗浄ブラシ７０は、ブラシ片７１が使用されてある為、含水により、ブラシ片７１の毛腰が弱くなることが無く、且つブラシ片７１同士が水により付着しながら洗車中に回転することが無く、ブラシ片７１は被洗浄面にたいして均一に当接する。その為、ブラシ片７１の毛腰を強く設定することができると共に、均一に当接できるので、洗い残しの無い、高い洗浄性を有する洗車機用洗浄ブラシ７０を提供することができる。【００６３】  次に、図６にて、実施例３の洗車機用洗浄ブラシの他の実施の形態を示す。図６は、本発明の洗車機用洗浄ブラシのブラシ片が使用されてある他の実施の形態の洗車機用洗浄ブラシを前面側から見た斜視図である。図６において、８０は洗車機用洗浄ブラシ、８１はブラシ片、８２は台座、８４は止め金具、８５は溝部である。【００６４】  洗車機用洗浄ブラシ８０は、図６の如く、ブラシ片８１、台座８２、止め金具８４、溝部８５より構成されてある。台座８２は、略円筒形状からなり、外周の両端部には、止め金具８４が組み付けられてあると共に、溝部８５が形成されてある。ブラシ片８１は、概Ｕ字断面を有する帯状体にて溝部８５に勘合挿入されてあり、止め金具８４にて固定されてある。【００６５】  実施例３の他の実施の形態の洗車機用洗浄ブラシ８０は、上記の如くの構成となっているので、前記洗車機用洗浄ブラシ８０のブラシ片８１の使用枚数、及び台座８２上の溝部８５の間隔等を調整することにより、ブラシ片８１を被洗浄面に連続的に当てることができるので、洗車時における被洗浄面にたいするブラシ片８１の接触音を低減させることがきる。【００６６】  なお、ブラシ構造に関しては、特に限定されるものではなく、上記の如くの構造以外にも、使用目的に応じて、適時、設定することができる。
【実施例４】
【００６７】  図７にて、実施例４を示す。図７は、本発明の洗車機用洗浄ブラシのブラシ片が使用されてある洗車機用洗浄ブラシが搭載されてある洗車機の正面図である。図７において、５０は洗車機、５１は洗車機用洗浄ブラシ、５２は駆動源、５３はノズル、５４は乾燥機である。【００６８】  洗車機５０は、図７の如く、本発明の洗車機用洗浄ブラシのブラシ片が使用されてある洗車機用洗浄ブラシ５１が搭載されてあり、前記洗車機用洗浄ブラシ５１は駆動源５２により回転される。ノズル５３からは、被洗浄面にたいして、洗浄剤、及び水が散布され、前記洗車機用洗浄ブラシ５１により、洗浄され、洗浄後は乾燥機５４等の乾燥手段により被洗浄面が乾燥される。【００６９】  上記の如くの構成となっている実施例４の洗車機５０の動作、作用は下記の通りである。【００７０】  本発明の洗車機用洗浄ブラシのブラシ片が使用されてある洗車機用洗浄ブラシ５１を搭載した洗車機５０である為、含水により、洗車機用洗浄ブラシ５１の重量が重くなることが無く、前記洗車機用洗浄ブラシ５１の安定した回転駆動が長期間に渡って持続する。その為、駆動源５２にたいする負荷が軽減されると共に、洗車機用洗浄ブラシ５１にたいするメンテナンスの軽減を図ることができる。また、洗車機用洗浄ブラシ５１は、互いのブラシ片が水により付着することなく、被洗浄面にたいして均一に当接する為、高い洗浄性を有する洗車機５０を提供することができる。
【産業上の利用可能性】
【００７１】  本発明の洗車機用洗浄ブラシのブラシ片は、主に、自動車あるいは車両の外面の被洗浄面に付着した汚れ等を洗浄する為の洗車機に搭載する洗車機用洗浄ブラシのブラシ片として使用する。
【図面の簡単な説明】
【００７２】
【図１】  （ａ）本発明の洗車機用洗浄ブラシのブラシ片の正面図、（ｂ）本発明の他の実施の形態における洗車機用洗浄ブラシのブラシ片の正面図、（ｃ）本発明の他の実施の形態における洗車機用洗浄ブラシのブラシ片を前面側から見た斜視図
【図２】  本発明の他の実施の形態における洗車機用洗浄ブラシのブラシ片を前面側から見た斜視図
【図３】  （ａ）本発明の洗車機用洗浄ブラシのブラシ片を前面側から見た斜視図、（ｂ）図３（ａ）の繊維質基材の部分拡大断面図
【図４】  （ａ）本発明の洗車機用洗浄ブラシのブラシ片の断面図、（ｂ）図４（ａ）のブラシ片にカレンダー成形を施した後のブラシ片の断面図
【図５】  本発明の洗車機用洗浄ブラシのブラシ片が使用されてある洗車機用洗浄ブラシを前面側から見た斜視図
【図６】  本発明の洗車機用洗浄ブラシのブラシ片が使用されてある他の実施の形態の洗車機用洗浄ブラシを前面側から見た斜視図
【図７】  本発明の洗車機用洗浄ブラシのブラシ片が使用されてある洗車機用洗浄ブラシが搭載されてある洗車機の正面図
【符号の説明】
【００７３】１、１１、２１、３１、４１、６１、７１、８１  ブラシ片
２、３３  アイオノマー樹脂繊維
３、１３  先割れ部
１２  アイオノマー樹脂フィルム状組成物
２２  アイオノマー樹脂独立気泡発泡体
２３  スリット
２４  独立気泡
３２、４２、６２  布帛
４３、６３  繊維質基材
４４、６４  アイオノマー樹脂
４５、６５  空隙
５０  洗車機
５１、７０、８０  洗車機用洗浄ブラシ
５２  駆動源
５３  ノズル
５４  乾燥機
７２、８２  台座
７３  チャンネルブラシ
７４、８４  止め金具
８５  溝部
【図１】
2007185468.tif 000005
【図２】
2007185468.tif 000006
【図３】
2007185468.tif 000007
【図４】
2007185468.tif 000008
【図５】
2007185468.tif 000009
【図６】
2007185468.tif 000010
【図７】
2007185468.tif 000011